(57)【特許請求の範囲】
【請求項１】
吸込口と吹出口と、前記吸込口と前記吹出口とを結ぶ送風回路と、前記送風回路に送風機とスタビライザとリアガイダとを具備する本体ケーシングを備えた空気調和機であって、前記吹出口は前記本体ケーシングの前面に略水平方向に送風するよう構成され、前記吸込口は前記吹出口より下方に位置し、第１風向板が前記吹出口の前記スタビライザの少なくとも一部の壁面からの連続な面で構成されることを特徴とする空気調和機。
【請求項２】
前記スタビライザの壁面の少なくとも一部と連続な面で構成される第１風向板と、前記リアガイダの壁面の少なくとも一部と連続な面で構成される第２風向板とを備えることを特徴とする、請求項１に記載の空気調和機。
【請求項３】
前記第２風向板を回転駆動させる駆動軸心を、前記吹出口の端部から、前記第２風向板の風向き方向における幅だけ離れた位置に備えることを特徴とする、請求項１に記載の空気調和機。
【請求項４】
前記第２風向板を駆動させる駆動腕を備え、前記第２風向板を前記駆動腕の先端に位置する駆動軸心を中心に回動することを特徴とする、請求項１に記載の空気調和機。
【発明の詳細な説明】
【技術分野】
【０００１】
本発明は、吸込口が吹出口の下方に構成され、略水平方向の吹出口に送風路から連続面で風向板が構成される、空気調和機に関する。
【背景技術】
【０００２】
一般に、吸込口と、吹出口を有する本体ケーシング内に通風させる送風回路を形成し、この送風回路内に送風機を備え、送風機の上流近傍に熱交換器を配し、送風機の回転によって吸込口から吸い込まれた空気を熱交換器を通して熱交換した後、吹出口より吹き出す室内ユニットを有する空気調和機が知られている。送風機の回転によって発生する空気の流れを形成するために、リアガイダと、スタビライザとを備える。ところで、送風機内部における空気の流れとして、送風機を通過して吹出口から吹き出される流れ（主流）と、送風機とスタビライザの間で発生して、スタビライザの先端で渦状に循環する流れ（渦流）が存在する。
【０００３】
ここで、従来の室内ユニットの一例として、特許文献１に開示されている空気調和機１について、図４を用いて説明する。空気調和機１は、本体ケーシング２の下面に吸込口３と、円弧状の前面に吹出口４と、吸込口３と吹出口４を結ぶ空気通路５と、前部熱交換器６と、後部熱交換器７と、熱交換された空気を吹出口４に送出する前部熱交換器６及び後部熱交換器７の上部に位置する送風機８と、凝縮水を受ける前部熱交換器６及び後部熱交換器７の下部に位置する露受皿９とを備え、前部熱交換器６の前面または下面に補助吸込口１０を設けている。また、送風機８の上部と吹出口４の上部とを結ぶリアガイダ１１を備え、送風機８の下部と吹出口４の下部とを結ぶスタビライザ１２を備え、後部熱交換器７の上端と吸込口３の後部とを結ぶ隔壁１３を備える。
【０００４】
送風機８が回転することで、空気は前部熱交換器６及び後部熱交換器７を通り抜けるように吸い込まれ、送風機８を貫流し、スタビライザ１２とリアガイダ１１とで形成される空気通路を介して本体ケーシング２から吹き出される。その際、吸込口３を通過して隔壁１３に沿って流れる空気が、後部熱交換器７を通り抜け、続けてリアガイダ１１に沿って流れる。リアガイダ１１は送風機８の上部では略水平の面を備え、そこから湾曲面を形成し、吹出口４では斜め下方向きの面を備え、かつスタビライザ１２も吹出口４では斜め下方向きの面を備えているため、吹き出し空気の方向を斜め下方向きに制御することを目論んでいる。
【先行技術文献】
【特許文献】
【０００５】
【特許文献１】特開２０００−２４０９６５公報
【発明の概要】
【発明が解決しようとする課題】
【０００６】
しかしながら、特許文献１に係る空気調和機１では、吹き出し空気の方向を斜め下方向きにすることができるが、水平方向吹出が困難となる。水平方向吹出が困難となると、室内に無気流感の領域を形成するための気流形成ができない等の、室内の気流環境の制御性に課題を伴うおそれがある。
【０００７】
本発明は、上記した従来の問題点に鑑みてなされたものであって、吸込口と、吹出口を有する本体ケーシング内に通風させる送風回路の内部に送風機を備え、送風機の上流近傍に熱交換器を配し、送風機の回転によって発生する空気の流れを形成するために、リアガ
イダと、スタビライザとを備える室内ユニットにおいて、吹出口からの気流の吹き出し方向を水平方向に制御し、室内の気流環境の制御性を向上させることのできる空気調和機の提供を目的とする。
【課題を解決するための手段】
【０００８】
本発明の空気調和機は、吸込口と吹出口と、前記吸込口と前記吹出口とを結ぶ送風回路と、前記送風回路に送風機とスタビライザとリアガイダとを具備する本体ケーシングを備えた空気調和機であって、前記吹出口は前記本体ケーシングの前面に略水平方向に送風するよう構成され、前記吸込口は前記吹出口より下方に位置し、風向板が前記吹出口の送風路の少なくとも一部の壁面からの連続な面で構成したものである。
【０００９】
このことにより、風向板が吹出口に送風回路から連続面で構成されることで、吹出口を略水平方向に構成する空気調和機において、本体ケーシングの前面から略水平方向へ気流を吹き出すことができる。
【発明の効果】
【００１０】
本発明に係る空気調和機は、本体ケーシングの前面から略水平方向へ気流を吹き出すことができ、吹出口を天井近傍に位置するように構成することで効率的に室内に天井気流を形成し、快適な室内気流形成の効果が得られる。
【図面の簡単な説明】
【００１１】
【図１】本発明の実施の形態１に係る空気調和機の構成の一例を示す断面図
【図２】本発明の実施の形態２に係る空気調和機の構成の一例を示す断面図
【図３】本発明の実施の形態３に係る空気調和機の構成の一例を示す断面図
【図４】特許文献１に係る空気調和機の室内ユニットを示す断面図
【発明を実施するための形態】
【００１２】
第１の発明は、吸込口と吹出口と、前記吸込口と前記吹出口とを結ぶ送風回路と、前記送風回路に送風機とスタビライザとリアガイダとを具備する本体ケーシングを備えた空気調和機であって、前記吹出口は前記本体ケーシングの前面に略水平方向に送風するよう構成され、前記吸込口は前記吹出口より下方に位置し、風向板が前記吹出口の送風路の少なくとも一部の壁面からの連続な面で構成したものである。
【００１３】
これによれば、風向板が吹出口に送風回路から連続面で構成されることで、吹出口を略水平方向に構成する空気調和機において、本体ケーシングの前面から略水平方向へ気流を吹き出すことができ、吹出口を天井近傍に位置するように構成することで効率的に室内に天井気流を形成し、快適な室内気流が形成できる。
【００１４】
第２の発明は、特に、第１の発明の空気調和機において、スタビライザの壁面の少なくとも一部と連続な面で構成される第１風向板と、リアガイダの壁面の少なくとも一部と連続な面で構成される第２風向板とを備えるものである。
【００１５】
これによれば、吹出口と、吹出口の下方面に構成される吸込口との間に、第１風向板が配置されることで、吹出口から吹き出される気流が吸込口へ直接流入するショートサーキットを抑制し、本体ケーシングの前面から略水平方向へ効率的に気流を吹き出すことができ、快適な室内気流が形成できる。
【００１６】
第３の発明は、特に、第１の発明の空気調和機において、第２風向板を回転駆動させる駆動軸心を、吹出口の端部から、第２風向板の先端と前記駆動軸心との距離間隔を有する距離だけ離れた位置に備えるものである。
【００１７】
これによれば、吹出口から吹き出す気流方向を第２風向板の回転駆動によって制御する際に、第１風向板との距離が狭まり風量が減少することを緩和し、吹き出す気流の方向によらず、風量を確保することができる。
【００１８】
第４の発明は、特に、第１の発明の空気調和機において、第２風向板を駆動させる駆動腕を備え、前記第２風向板を前記駆動腕の先端に位置する駆動軸心を中心に回動するものである。
【００１９】
これによれば、吹出口から吹き出す気流方向を第２風向板の駆動腕を用いた駆動によって制御する際に、吹き出す気流方向によらず第１風向板と第２風向板との間隔を一定に保つことができ、吹き出す気流の方向によって風量が変化することを緩和し、吹き出す気流の方向によらず、風量を確保することができる。
【００２０】
以下、本発明の各実施形態について、図面を参照して詳細に説明する。なお、以下に説明する各実施形態は一例であり、本発明は各実施形態により限定されるものではない。
【００２１】
（実施の形態１）
図１は、本実施形態に係る空気調和機１００の構成の一例を示す断面図である。
【００２２】
空気調和機１００の室内ユニット１０１は、図１に示すように、本体ケーシング１０２に、吸込口１０３と、吹出口１０４とを備え、本体ケーシング１０２の内部に送風回路１０５と、送風機１０６と、スタビライザ１０７と、リアガイダ１０８と、熱交換器１０９とを備え、吹出口１０４が本体ケーシング１０２の前面に、天井近傍に位置するように略水平方向に構成され、吸込口１０３が吹出口１０４の下方面に構成される。また、スタビライザ１０７と連続面で構成される第１風向板１１０と、リアガイダ１０８と連続面で構成される第２風向板１１１とを備える。第２風向板１１１の駆動軸心はリアガイダ１０８の先端にあたる吹出口１０４の端部に位置している。
【００２３】
送風機１０６はブレード外周円の略接線方向に空気を吹き出し、送風機１０６を通過して吹出口１０４から吹き出される流れ（主流）と、送風機１０６とスタビライザ１０７の間で発生して渦状に循環する流れ（渦流）とを発生させる。吹出口１０４は、リアガイダ１０８とスタビライザ１０７とで、上下を挟まれて形成され、その吹き出し方向は略水平方向になっており、また、スタビライザ１０７と連続面で構成される第１風向板１１０と、リアガイダ１０８と連続面で構成される第２風向板１１１により、吸込口１０３にショートサーキットを生じることなく、室内へ吹き出すことができ、効率的に室内に天井気流を形成し、快適な室内気流が形成できる。
【００２４】
また、第１風向板１１０の駆動軸心は吹出口の端部にあたるスタビライザ１０７の先端に位置し、第２風向板１１１の駆動軸心は吹出口の端部にあたるリアガイダ１０８の先端に位置する。第１風向板１１０と第２風向板１１１とは、それぞれの駆動軸心を中心に回転駆動し、吹出口１０４から吹き出す気流の方向を制御する。
（実施の形態２）
図２は、本実施形態に係る空気調和機２００の構成の一例を示す断面図である。図２において、実施の形態１と共通の要素については、共通の符号を付している。
【００２５】
空気調和機２００の室内ユニット１０１は、図２に示すように、第２風向板１１１を回転駆動させる駆動軸心を、吹出口１０４の端部から吹き出し方向へ、第２風向板１１１の先端と駆動軸心との間隔を有する距離だけ離れた位置に備えている。これによれば、吹出口１０４から吹き出す気流を水平方向へ吹き出す際には、第２風向板１１１を、その先端
がリアガイダ１０８の先端と突き合う位置に回転駆動する。また、吹出口１０４から吹き出す気流を第２風向板１１１によって斜下方向へ制御する際に、第２風向板１１１を、その先端が斜下方向へ向く位置に回転駆動する。これによれば、第２風向板１１１を回転駆動した際に、第２風向板１１１と第１風向板１１０との距離が狭まり風量が減少することを緩和し、吹き出す気流の方向によらず、風量を確保することができ、快適な室内気流が形成できる。
（実施の形態３）
図３は、本実施形態に係る空気調和機３００の構成の一例を示す断面図である。図３において、実施の形態１と共通の要素については、共通の符号を付している。
【００２６】
空気調和機３００の室内ユニット１０１は、図３に示すように、駆動腕１１２が第２風向板１１１の左右両端を支持している。駆動腕１１２は駆動部を備えており、駆動部の動作によって吹き出し方向へと水平及び回転移動できる。この移動によって駆動腕１１２に支持された第２風向板１１１は水平及び回転移動できる。なお、駆動腕１１２による第２風向板１１１の支持部を第２風向板１１１の駆動軸心とすることで、駆動腕１１２による移動に加えて駆動軸心を中心とした回転が可能となる。吹出口１０４から吹き出す気流を水平方向へ吹き出す際には、第２風向板１１１を、リアガイダ１０８と連続面を構成する位置に駆動する。また、吹出口１０４から吹き出す気流を第２風向板１１１によって斜下方向へ制御する際に、第２風向板１１１を、その先端が斜下方向へ向く位置に駆動する。これによれば、第２風向板１１１を回転駆動した際に、第２風向板１１１と第１風向板１１０との距離が狭まり風量が減少することを緩和し、吹き出す気流の方向によらず、風量を確保することができ、快適な室内気流が形成できる。
【００２７】
なお、本実施の形態では、送風機をクロスフローファンを例に述べたが、送風機はこれにとどまらず、ターボファンや軸流ファンなどその形式を問わない。
【産業上の利用可能性】
【００２８】
本発明に係る空気調和機は、送風機が通風する空気量を増加できることから、家庭用空調や業務用空調に用いるのに好適である。
【符号の説明】
【００２９】
１００    空気調和機
１０１    室内ユニット
１０２    本体ケーシング
１０３    吸込口
１０４    吹出口
１０５    送風回路
１０６    送風機
１０７    スタビライザ
１０８    リアガイダ
１０９    熱交換器
１１０    第１風向板
１１１    第２風向板
１１２    駆動腕
【図１】
0006528131.tif 000002
【図２】
0006528131.tif 000003
【図３】
0006528131.tif 000004
【図４】
0006528131.tif 000005